(57)【要約】    【課題】  ウォータサーバに於ける殺菌を効果的に行い、殺菌に必要な電力を低減し、省エネルギ化を図る。    【解決手段】  冷水タンク１７に貯留された飲料水２８を分配するウォータサーバに於いて、前記冷水タンクに殺菌循環系３６を接続し、該殺菌循環系により前記冷水タンクの飲料水を循環させると共に循環過程で飲料水を殺菌する様構成した。    【選択図】          図１
2005350067.tif 000002
【特許請求の範囲】
【請求項１】
冷水タンクに貯留された飲料水を前記冷水タンクより抽出して循環させ、循環過程で殺菌を行うことを特徴とする飲料水の殺菌方法。
【請求項２】
冷水タンクに貯留された飲料水を分配するウォータサーバに於いて、前記冷水タンクに殺菌循環系を接続し、該殺菌循環系により前記冷水タンクの飲料水を循環させると共に循環過程で飲料水を殺菌する様構成したことを特徴とするウォータサーバ。
【請求項３】
前記殺菌循環系が紫外線発光ランプを具備し、飲料水は紫外線により殺菌される様にした請求項２のウォータサーバ。
【請求項４】
前記殺菌循環系は循環と休止を繰返して飲料水を間欠的に循環させる請求項２のウォータサーバ。
【請求項５】
前記殺菌循環系は循環ポンプと殺菌装置とを具備し、該殺菌装置は紫外線発光ランプと該紫外線発光ランプに隣接して形成された流路とを有し、前記循環ポンプにより循環される飲料水は前記流路を通過する様構成された請求項２のウォータサーバ。
【請求項６】
前記流路は前記紫外線発光ランプの周囲に形成された請求項５のウォータサーバ。
【請求項７】
前記紫外線発光ランプはパルス光を発するフラッシュランプである請求項３又は請求項５又は請求項６のウォータサーバ。
【発明の詳細な説明】
【技術分野】
【０００１】
本発明は飲料水を供給すると共に飲料水を殺菌する機能を有するウォータサーバに関するものである。
【背景技術】
【０００２】
飲料水を供給するものにオフィス等に設置されるウォータサーバがあり、該ウォータサーバは供給タンクに飲料水を貯留し、要求があった場合に供給タンクから飲料水をコップ等に分配して供給する。
【０００３】
ウォータサーバでは飲料水を供給タンクに一時貯溜する為、雑菌の繁殖について考慮する必要があり、特に加熱せずに供給される冷水については雑菌繁殖の抑制、或は殺菌の対策が必要な場合がある。従って、ウォータサーバには飲料水の殺菌を行う構造を有するものがある。
【０００４】
従来、殺菌機能を有するウォータサーバとして、例えば特許文献１に示されるものがある。
【０００５】
図１０に於いて、従来のウォータサーバについて概略を説明する。
【０００６】
図１０中、１は外部から供給される飲料水５を貯留する供給タンクであり、２は冷水タンク、３は温水タンクを示している。
【０００７】
前記供給タンク１と前記冷水タンク２、前記温水タンク３とは流入配管４によって接続され、前記供給タンク１の飲料水５は前記流入配管４によって前記冷水タンク２、前記温水タンク３に導かれる様になっている。前記冷水タンク２内の飲料水は冷却器６によって冷却され、又冷水は冷水抽出バルブ７を介して図示しないコップ等に分配される様になっている。又、前記温水タンク３内の飲料水はヒータ８によって加熱され、温水は温水抽出バルブ９を介して図示しないコップ等に分配される様になっている。
【０００８】
前記冷水タンク２には殺菌装置１１が設けられている。尚、温水タンク３については加熱されるので、特に殺菌装置は設けられていない。
【０００９】
前記冷水タンク２の所要位置に石英ガラスで水密に閉塞された窓１２が設けられ、該窓１２に対向して紫外線ランプ１３が設けられ、該紫外線ランプ１３が点灯されることで、前記窓１２を透して紫外線が前記冷水タンク２内に照射され、紫外線により冷水が殺菌される。
【００１０】
上記した従来のウォータサーバでは紫外線を用いて冷水の殺菌を行っており、又紫外線の殺菌作用も知られており、紫外線による殺菌は効果的であると考えられる。
【００１１】
然し乍ら、紫外線の特性上、紫外線の殺菌作用は紫外線が直接照射され、又紫外線の拡散吸収からランプの近傍に限定される。
【００１２】
従来のウォータサーバに於ける殺菌装置では、窓を透して紫外線を照射しているので、影ができてしまう。又、冷水が殺菌されるのは上層部部分のみに限定され、冷水タンク２内の冷水を全体に殺菌するのは困難である。この為、特許文献１では冷水を攪拌する攪拌装置１４が具備されているが、冷水全体が均等に紫外線ランプに照射される様攪拌することは困難である。
【００１３】
又、紫外線ランプは、点灯しても直ちに紫外線を発するわけではなく、定常状態に達するのに約５分〜１０分を要する。この為、殺菌時には約５分〜１０分アイドリング運転を伴い、無駄が多い。
【００１４】
【特許文献１】特開２０００−３３５６９１号公報
【発明の開示】
【発明が解決しようとする課題】
【００１５】
本発明は斯かる実情に鑑み、紫外線により効果的に飲料水を殺菌すると共に殺菌に必要な電力を低減し、省エネルギ化を図るものである。
【課題を解決するための手段】
【００１６】
本発明は、冷水タンクに貯留された飲料水を前記冷水タンクより抽出して循環させ、循環過程で殺菌を行う飲料水の殺菌方法に係るものである。
【００１７】
又本発明は、冷水タンクに貯留された飲料水を分配するウォータサーバに於いて、前記冷水タンクに殺菌循環系を接続し、該殺菌循環系により前記冷水タンクの飲料水を循環させると共に循環過程で飲料水を殺菌する様構成したウォータサーバに係るものである。
【００１８】
又本発明は、前記殺菌循環系が紫外線発光ランプを具備し、飲料水は紫外線により殺菌される様にしたウォータサーバに係るものである。
【００１９】
又本発明は、前記殺菌循環系は循環と休止を繰返して飲料水を間欠的に循環させるウォータサーバに係るものである。
【００２０】
又本発明は、前記殺菌循環系は循環ポンプと殺菌装置とを具備し、該殺菌装置は紫外線発光ランプと該紫外線発光ランプに隣接して形成された流路とを有し、前記循環ポンプにより循環される飲料水は前記流路を通過する様構成されたウォータサーバに係り、又前記流路は前記紫外線発光ランプの周囲に形成されたウォータサーバに係るものである。
【００２１】
更に又本発明は、前記紫外線発光ランプはパルス光を発するフラッシュランプであるウォータサーバに係るものである。
【発明の効果】
【００２２】
本発明によれば、冷水タンクに貯留された飲料水を前記冷水タンクより抽出して循環させ、循環過程で殺菌を行うので、殺菌の対象が循環途中の飲料水に限定されるので、確実に殺菌が行える。
【００２３】
又本発明によれば、冷水タンクに貯留された飲料水を分配するウォータサーバに於いて、前記冷水タンクに殺菌循環系を接続し、該殺菌循環系により前記冷水タンクの飲料水を循環させると共に循環過程で飲料水を殺菌する様構成したので、殺菌の対象が循環途中の飲料水に限定されるので、確実に殺菌が行える。
【００２４】
又本発明によれば、前記殺菌循環系が紫外線発光ランプを具備し、飲料水は紫外線により殺菌される様にしたので、冷水の飲料水殺菌を効果的に行える。
【００２５】
又本発明によれば、前記殺菌循環系は循環と休止を繰返して飲料水を間欠的に循環させるので、必要な時間だけ、殺菌を行うことができ、省エネルギ化を図れる。
【００２６】
又本発明によれば、前記殺菌循環系は循環ポンプと殺菌装置とを具備し、該殺菌装置は紫外線発光ランプと該紫外線発光ランプに隣接して形成された流路とを有し、前記循環ポンプにより循環される飲料水は前記流路を通過する様構成され、又前記流路は前記紫外線発光ランプの周囲に形成されたので、紫外線が減衰することなく、紫外線の殺菌作用を効果的に利用することができ、又影ができないので、殺菌されない部分が生じない。
【００２７】
又本発明によれば、前記紫外線発光ランプはパルス光を発するフラッシュランプであるので、パルス光の照射はリアルタイムで行え、発光までのアイドリング運転が必要ないので、省エネルギが図れる等の優れた効果を発揮する。
【発明を実施するための最良の形態】
【００２８】
以下、図面を参照しつつ本発明を実施する為の最良の形態を説明する。
【００２９】
図１中、１６は筐体を示し、該筐体１６内の上部には冷水タンク１７が配設され、該冷水タンク１７の下方には温水タンク１８が配設されている。該温水タンク１８と前記冷水タンク１７とは連通管１９によって連通され、該連通管１９の途中には電磁弁（図示せず）が設けられている。前記筐体１６の上部には飲料水が貯留された供給タンク２０が配設される。該供給タンク２０は着脱可能とし、予め飲料水が貯留されたものと空になったものとを交換する様にしてもよく、或は前記供給タンク２０を前記筐体１６の上部に固定的に設け、水道水を供給する様にしてもよい。
【００３０】
前記筐体１６の正面には、冷水用分配コック２１、温水用分配コック２２が設けられ、前記冷水用分配コック２１と前記冷水タンク１７とは冷水分配管２３によって接続され、前記温水用分配コック２２と前記温水タンク１８とは温水分配管２４によって接続されている。尚、図中、前記冷水用分配コック２１と前記温水用分配コック２２とを分り易くする為、前記温水用分配コック２２の位置をずらせて表示している。又、図中２５は飲料水が分配されるコップを示している。
【００３１】
前記冷水タンク１７の周囲には冷却管２６が巻設され、該冷却管２６には冷凍機２７が接続され、該冷凍機２７によって冷媒が前記冷却管２６に循環されることで前記冷水タンク１７内の飲料水２８が冷却される様になっており、前記冷却管２６、前記冷凍機２７は冷却装置を構成している。
【００３２】
又前記温水タンク１８の周囲にはヒータ２９が巻設され、該ヒータ２９によって前記温水タンク１８内の飲料水３１が加熱される様になっている。前記ヒータ２９及び前記冷凍機２７には商用電源５７（後述、図３参照）から電力が供給される。
【００３３】
前記筐体１６内の下部に循環ポンプ３２、殺菌装置３３、電源装置３４が設けられ、前記循環ポンプ３２、前記殺菌装置３３は前記冷水タンク１７の底面及び前記冷水分配管２３に連通する循環配管３５によって接続され、前記循環ポンプ３２、前記殺菌装置３３、前記循環配管３５は殺菌循環系３６を形成する。該殺菌循環系３６の最下端位置には閉止弁（図示せず）を有するドレイン管３７が設けられ、点検時等には該ドレイン管３７により前記殺菌循環系３６内の水が排出される様になっている。
【００３４】
図２により、前記殺菌装置３３の一例について説明する。
【００３５】
中空円形断面の中空容器４１を貫通する様に、中空円形断面の石英ガラス管４２が前記中空容器４１と同心に配設され、前記石英ガラス管４２の上下の貫通箇所はシール部材４３，４３によって液密にシールされている。前記中空容器４１の材質は例えばステンレス鋼製であり、内面は好ましくは鏡面となっている。
【００３６】
前記石英ガラス管４２の内部には棒状の紫外線発光ランプ４４が同心に設けられ、該紫外線発光ランプ４４の上端、下端は支持部材４５，４５によって前記石英ガラス管４２の上端部、下端部に支持されている。
【００３７】
前記紫外線発光ランプ４４は好ましくは、高光強度のパルス光を発するキセノンランプ（以下フラッシュランプと称する）が使用される。該フラッシュランプが発する波長特性を図５に示す。尚、紫外線の殺菌作用としては、略２７０ｎｍ近傍の波長が効果的であることが知られており、図５の波長特性から分かる様に、前記フラッシュランプから発せられるパルス光には、殺菌に必要な略２７０ｎｍ近傍の波長の紫外線を充分に含んでいる。
【００３８】
前記中空容器４１の一端部（図示では下端部）に飲料水入口４６、他端部（図示では上端部）に飲料水出口４７が形成され、前記中空容器４１の内部には前記飲料水入口４６から流入した飲料水が前記石英ガラス管４２の周囲を流通して前記飲料水出口４７から排出される流路４８が形成される。
【００３９】
而して、前記飲料水入口４６、前記飲料水出口４７は前記循環配管３５に接続され、前記紫外線発光ランプ４４は前記電源装置３４に電気的に接続されている。
【００４０】
前記冷水タンク１７、前記温水タンク１８にはそれぞれ水位計（図示せず）が設けられており、前記冷水タンク１７の水位が所定レベル以下となった場合は、前記供給タンク２０の交換時期を知らせる表示をし、又前記循環ポンプ３２の駆動が制限される。又、前記温水タンク１８の水位が所定レベル以下となった場合は、前記連通管１９の電磁弁（図示せず）が開かれ、前記冷水タンク１７から前記温水タンク１８へ飲料水の補給が行われる。
【００４１】
図３に於いて、前記電源装置３４の概略を説明する。
【００４２】
図中、５１は前記筐体１６の正面等所要の位置に設けられる操作部５１であり、スイッチ釦等を有している。又、５２は制御部、５３はシーケンサ、５４は循環ポンプ用駆動部、５５は紫外線発光ランプ用駆動部、５６は冷凍機・ヒータ用電源、５７は商用電源を示している。
【００４３】
以下、図４を参照して作動について説明する。
【００４４】
前記操作部５１のスイッチを操作してウォータサーバの電源を投入する。
【００４５】
前記冷凍機・ヒータ用電源５６に電力が供給され、前記冷凍機２７、前記ヒータ２９が駆動され、前記冷水タンク１７内の前記飲料水２８が冷却され、又前記温水タンク１８内の前記飲料水３１が加熱される。前記飲料水２８、前記飲料水３１が適温となった場合は、前記筐体１６に設けられた表示部（図示せず）により適温である旨の表示がなされる。前記冷水用分配コック２１又は前記温水用分配コック２２を開いて、冷水又は温水が前記コップ２５に分配される。
【００４６】
又、前記循環ポンプ用駆動部５４、前記紫外線発光ランプ用駆動部５５に電力が供給され、前記循環ポンプ３２、前記紫外線発光ランプ４４は前記制御部５２からの指令により駆動可能となる。
【００４７】
前記殺菌循環系３６は、前記シーケンサ５３によって間欠駆動される様になっており、例えば２０分駆動され、２時間休止される様になっている。
【００４８】
電源の投入により、前記シーケンサ５３により前記殺菌循環系３６の駆動が開始されると、前記制御部５２により前記循環ポンプ用駆動部５４、前記紫外線発光ランプ用駆動部５５を介して前記循環ポンプ３２、前記紫外線発光ランプ４４が駆動される。
【００４９】
前記循環ポンプ３２の駆動により前記冷水タンク１７より前記飲料水２８が吸引抽出され、前記循環配管３５を介して前記殺菌装置３３を経て前記冷水タンク１７に戻され、前記飲料水２８が殺菌循環系３６を循環する。該殺菌循環系３６が駆動される時間は、例えば前記冷水タンク１７内の前記飲料水２８が前記殺菌循環系３６を一巡する以上の時間であり、例えば２０分である。
【００５０】
前記飲料水２８が前記殺菌装置３３を流通する過程で、前記飲料水入口４６より前記中空容器４１内に流入し、前記石英ガラス管４２の周囲を通過して前記飲料水出口４７より流出する。前記殺菌装置３３の駆動中、前記紫外線発光ランプ４４は前記紫外線発光ランプ用駆動部５５により駆動され、パルス光を発している。前記紫外線発光ランプ４４は、フラッシュランプであり前記紫外線発光ランプ用駆動部５５からの電力の供給があるとリアルタイムで発光し、アイドリング時間は必要なく、前記殺菌循環系３６の駆動は殺菌に必要な時間だけ駆動すればよく、無駄な電力を要することなく経済的である。
【００５１】
前記飲料水２８は前記石英ガラス管４２の周囲の限定された空間を流通する間にパルス光の照射を受け、紫外線で殺菌されるが、前記飲料水２８が前記紫外線発光ランプ４４の周囲を而も接近して流通するので、全ての紫外線を有効に殺菌に利用でき、紫外線の減衰等の影響を受けることがない。更に、紫外線を遮るものがなく、影も生じない。更に、前記中空容器４１の内面が鏡面となっているので、前記飲料水２８は前記紫外線発光ランプ４４からの紫外線及び前記中空容器４１の内面で反射された紫外線の両方で殺菌されるので、殺菌作用が増大する。
【００５２】
尚、前記中空容器４１により紫外線発光ランプ４４の周囲に前記流路４８を形成したが、石英ガラス管を前記紫外線発光ランプ４４の周囲に螺旋状に巻設し、流路４８を形成してもよい。
【００５３】
前記殺菌循環系３６の駆動が２０分を経過すると、前記シーケンサ５３からの信号により、前記制御部５２により前記循環ポンプ用駆動部５４、前記紫外線発光ランプ用駆動部５５を介して前記循環ポンプ３２、前記紫外線発光ランプ４４の駆動が停止され、休止状態となる。
【００５４】
休止時間は、雑菌の繁殖を抑制する様に設定され、例えば２時間とする。２時間が経過すると、再び前記殺菌循環系３６が駆動され、飲料水２８の殺菌が行われる。
【００５５】
尚、雑菌の発生状態、増殖は周囲温度によって影響を受けるので、前記殺菌循環系３６の駆動時間、休止時間は季節に対応して設定してもよい。例えば、夏季では休止時間を短くし、又冬季では休止時間を長くする等であり、殺菌循環系３６の駆動時間、休止時間は前記シーケンサ５３を介して周囲の環境に合わせて適宜設定する。
【００５６】
尚、前記筐体１６に給水スイッチを設け、該給水スイッチのオンオフで前記コップ２５に飲料水を分配する様にすると共に給水スイッチオン動作と同期して前記循環ポンプ３２が駆動され、該循環ポンプ３２の駆動により飲料水の分配が行われる様にしてもよい。この場合、殺菌循環系３６を循環する飲料水の方向を図１中反時計回りとし、前記殺菌装置３３により殺菌された飲料水が前記コップ２５に分配される様にする。
【００５７】
次に、フラッシュランプの殺菌効果について図６を参照して説明する。
【００５８】
＜実験１＞
１）供試菌の培養及び調整
供試菌株は、大腸菌（Ｅｓｃｈｅｒｉｃｈｉａ  ｃｏｌｉ）、Ｐｓｅｕｄｏｍｏｎａｓ  ｄｉｍｉｎｕｔａ、Ｂａｃｉｌｌｕｓ  ｐｕｍｉｌｕｓ（芽胞）、及びＡｓｐｅｒｇｉｌｌｕｓ  ｎｉｇｅｒ（胞子）である。大腸菌とＰｓｅｕｄｏｍｏｎａｓ  ｄｉｍｉｎｕｔａはＳＣＤ培地等の培地で増殖させ、滅菌水で希釈し、調整し、菌数が１×１０5 ／ｍｌの菌液を得る。芽胞又は胞子の液は次の様に調整する。
a)Ｂａｃｉｌｌｕｓ  ｐｕｍｉｌｕｓの芽胞液の調整は、寒天培地にて３５℃で７日間培養の後、生理食塩水により培地上の胞子を回収し、ガラスビーズ処理、ナイロンメッシュ濾過して８０℃で２０分間熱処理し、原液菌数が約１．０×１０10ＣＦＵ／ｍｌになる様、遠心集菌後、滅菌水により懸濁して４℃で保存し、更に、芽胞液を滅菌水で希釈し調整し、約１．０×１０4 ＣＦＵ／ｍｌの菌液を得る。
b)Ａｓｐｅｒｇｉｌｌｕｓ  ｎｉｇｅｒの胞子の調整は、ＰＤＡ寒天培地にて２５℃で７日間培養の後、０．１％Ｔｗｅｅｎ８０水溶液により培地上の胞子を回収し、約３０分間激しく沸騰させてナイロンメッシュ濾過し、原液菌数が約１．０×１０7 ＣＦＵ／ｍｌになる様、遠心集菌後、滅菌水により懸濁し、更に、滅菌水で希釈し調整し、約１．０×１０4 ＣＦＵ／ｍｌの菌液を得る。
【００５９】
２）照射方法及び照射条件
サンプル液調整は、オートクレーブしたシャーレ（原則として平均内径２７ｍｍ）に菌液（原則として６ｍｌ）を無菌的に入れ、水深１１ｍｍとなる様調整し、前記フラッシュランプ４４により直ちに照射する。ここでサンプル液は、該フラッシュランプ４４より水面迄の距離を１５ｍｍにする様フラッシュランプ４４の直下に配置し、フラッシュランプ４４は、所定の周波数（２Ｈｚ〜３３Ｈｚ）で照射、１秒〜８秒間照射する。
【００６０】
３）菌数測定方法
照射後、サンプル液０．１ｍｌを寒天平板に塗布し、所定温度で、２４ｈ〜４８ｈ培養し、コロニーカウントを行った。コロニー数がカウントに適さない程多くなりそうなサンプルでは、サンプル液を１０倍希釈した後、上記の操作を行なった。
【００６１】
その結果、大腸菌は、１ｍｌの液に対し２回の閃光（パルス）を照射した場合（菌液量に対するフラッシュランプ４４の入力エネルギ量は０．６７Ｊ／ｍｌ）、その４４％が、４回の閃光（１．３３Ｊ／ｍｌ）ではその８５％が、８回の閃光（２．６７Ｊ／ｍｌ）ではその９９．９９％以上が殺菌された。他の細菌では、大腸菌より効果が弱いものの、照射を強力にすることにより９９．８％以上の殺菌効果が認められた。カビ類であるＡｓｐｅｒｇｉｌｌｕｓ  ｎｉｇｅｒの胞子は特に耐性が強かったが、入力エネルギを更に高めることにより、９９％迄殺菌できた。Ａｓｐｅｒｇｉｌｌｕｓ  ｎｉｇｅｒの胞子は液量を１６．９ｍｌ迄増加しても容積当りの入力エネルギが確保されれば殺菌効果は低下しなかった。
【００６２】
従って、衛生上の指標とされている大腸菌に注目すれば、その５０％〜９９．９９％を殺菌する条件（菌液量に対するフラッシュランプ４４の入力エネルギ量）は０．７Ｊ／ｍｌ〜２．７Ｊ／ｍｌであった。又、薬剤等の抵抗性の強いＢａｃｉｌｌｕｓ属の細菌に対しても、１１．０Ｊ／ｍｌの照射で９９．９９％以上が殺菌できた。即ち０．７Ｊ／ｍｌ〜１１．０Ｊ／ｍｌの入力エネルギを与えることにより、水を適確に殺菌することができる。ここで、照射エネルギが０．７Ｊ／ｍｌ未満の場合には十分に殺菌することができず、１１．０Ｊ／ｍｌより大きい場合には、無駄なエネルギーが多いという問題がある。
【００６３】
又、フラッシュランプは、照射一回当り０．０１Ｊ／ｍｌ〜１０Ｊ／ｍｌの照射エネルギを発生させる様構成されると共に、フラッシュランプは、振動数１Ｈｚ〜１００Ｈｚ、発光時間１．０μＳ〜１．０ｍＳ、出力範囲０．２Ｗ〜５００Ｗにより構成されると、フラッシュランプの紫外光を含む閃光により水を適切に殺菌処理することができる。又、フラッシュランプを必要に応じて適切に使用し得るので、フラッシュランプの寿命を更に延ばすと共に電気消費量を確実に抑制し、ランニングコストを一層低減することができる。
【００６４】
図７、図８は他の殺菌装置３３を示している。
【００６５】
該殺菌装置３３では、紫外線発光ランプ４４を流路４８の外部に設けたものである。
【００６６】
断面が台形等の流路４８の上面は開放されているか、或は石英ガラスで密閉されている。該流路４８の上面に対向して前記紫外線発光ランプ４４が配設され、該紫外線発光ランプ４４の周囲は反射鏡６３で覆われている。該反射鏡６３の前記紫外線発光ランプ４４に対向する部分は鏡面となっており、該紫外線発光ランプ４４から発せられるパルス光を前記流路４８に向って反射する。尚、前記反射鏡６３の鏡面について、反射鏡６３の材質をステンレス鋼として鏡面仕上げとするか、或は適宜な材質とし内面にクロームメッキを施すか、或はアルミを蒸着するか等種々の方法が考えられる。
【００６７】
図９は更に他の殺菌装置３３を示しており、流路４８を矩形細長の容器とし紫外線発光ランプ４４を前記流路４８に対向させ配設し、前記紫外線発光ランプ４４を山型形状の反射鏡６３で覆い、更に該反射鏡６３を前記流路４８と密閉な容器を構成するカバー６４で覆ったものである。
【００６８】
図７、図８及び図９で示す殺菌装置３３に於いて、飲料水２８を流路４８中に一時的に貯留し、前記飲料水２８を静止させた状態でパルス光を照射して殺菌し、更に前記流路４８中の飲料水２８を入替え殺菌をする等バッチ式方式で殺菌を行ってもよい。
【００６９】
その他、紫外線による飲料物の殺菌装置としては、本出願人が先に出願した特開２００３−３３１３５２号公報、特開２００４−５７８４５号公報に記載されたものがある。
【００７０】
尚、上記実施の形態に於いて、紫外線発光ランプ４４を紫外線ランプに置換することも可能であり、この場合、紫外線ランプは所要時間アイドリング運転後点灯される。
【図面の簡単な説明】
【００７１】
【図１】本発明の実施の形態を示す概略図である。
【図２】本発明の実施の形態に使用される殺菌装置を示す断面図である。
【図３】本発明の実施の形態に於ける電源装置の概略ブロック図である。
【図４】本発明の実施の形態に於ける作動を示すフローチャートである。
【図５】本発明の実施の形態に使用されるフラッシュランプの波長特性を示す線図である。
【図６】該フラッシュランプによる紫外線の照射による殺菌効果を示す図である。
【図７】他の殺菌装置を示す斜視図である。
【図８】他の殺菌装置を示す正面図である。
【図９】更に他の殺菌装置を示す斜視図である。
【図１０】従来のウォータサーバを示す概略図である。
【符号の説明】
【００７２】
１６            筐体
１７            冷水タンク
１８            温水タンク
２０            供給タンク
２７            冷凍機
２９            ヒータ
３２            循環ポンプ
３３            殺菌装置
３４            電源装置
３５            循環配管
３６            殺菌循環系
４４            紫外線発光ランプ
４８            流路
５２            制御部
５３            シーケンサ
５４            循環ポンプ用駆動部
５５            紫外線発光ランプ用駆動部
【図１】
2005350067.tif 000003
【図２】
2005350067.tif 000004
【図３】
2005350067.tif 000005
【図４】
2005350067.tif 000006
【図５】
2005350067.tif 000007
【図６】
2005350067.tif 000008
【図７】
2005350067.tif 000009
【図８】
2005350067.tif 000010
【図９】
2005350067.tif 000011
【図１０】
2005350067.tif 000012